(57)【要約】【課題】  代替モードを支援できるハブを提供する。【解決手段】  本発明のハブは、第１電子装置と表示器を電気接続することに適用され、表示器は第１タイプＣ伝送線を介してハブに電気接続し、ハブは、回路板、マイクロコントローラ、フロントエンドタイプＣ伝送線、第１ＵＳＢタイプＣ出力端、第１入力端制御器、第１出力端制御器、第１出力端マルチプレクサ及びＵＳＢハブプロセッサを含む。マイクロコントローラは回路板に設置され、フロントエンドタイプＣ伝送線は第１電子装置に電気接続され、フロントエンドタイプＣ伝送線は、電源伝送線、第１組データ伝送線及び第２組データ伝送線を含む。第１ＵＳＢタイプＣ出力端は電源伝送線と第１タイプＣ伝送線の間に電気接続される。第１出力端制御器はマイクロコントローラと第１ＵＳＢタイプＣ出力端の間に電気接続される。【選択図】図３
2019096282.tif 000002
【特許請求の範囲】
【請求項１】
ハブであって、前記ハブ外部に位置する第１電子装置及び表示器に電気接続することに適用され、
前記表示器は、第１タイプＣ伝送線を介して前記ハブに電気接続し、
前記ハブは、
回路板と、
前記回路板上に設置されるマイクロコントローラと、
前記第１電子装置に電気接続され、電源伝送線、第１組データ伝送線、及び第２組データ伝送線を含み、且つ前記電源伝送線、前記第１組データ伝送線、及び前記第２組データ伝送線は、前記回路板上に延伸されるフロントエンドタイプＣ伝送線と、
前記電源伝送線及び前記第１タイプＣ伝送線の間に電気接続される第１ＵＳＢタイプＣ出力端と、
前記回路板上に設置され、前記マイクロコントローラ及び前記第１電子装置に電気接続される第１入力端制御器と、
前記回路板上に設置され、前記マイクロコントローラ及び前記第１ＵＳＢタイプＣ出力端の間に電気接続され、且つ前記第１タイプＣ伝送線及び前記第１ＵＳＢタイプＣ出力端の接続状態を検出することに用いられる第１出力端制御器と、
前記回路板上に設置され、入力端が前記マイクロコントローラ及び前記第１組データ伝送線に電気接続され、且つ出力端が前記第１ＵＳＢタイプＣ出力端に電気接続される第１出力端マルチプレクサと、
前記第２組データ伝送線及び前記第１出力端マルチプレクサの間に電気接続されるＵＳＢハブプロセッサと、を含み、
前記第１出力端制御器が前記第１タイプＣ伝送線及び前記第１ＵＳＢタイプＣ出力端の接続状態を前記マイクロコントローラに伝送した後、前記マイクロコントローラが前記第１出力端マルチプレクサを調整する、ハブ。
【請求項２】
ハブであって、前記ハブ外部に位置する第１電子装置及び表示器に電気接続することに適用され、
前記第１電子装置は、第２タイプＣ伝送線を介して前記ハブに電気接続し、前記表示器は、第１タイプＣ伝送線を介して前記ハブに電気接続し、
前記ハブは、
回路板と、
前記回路板上に設置されるマイクロコントローラと、
少なくとも前記ＵＳＢタイプＣ入力端から前記回路板上に位置する電源伝送線、第１組データ伝送線、及び第２組データ伝送線に延伸し、且つ前記第２タイプＣ伝送線と電気接続するＵＳＢタイプＣ入力端と、
前記電源伝送線及び前記第１タイプＣ伝送線の間に電気接続される第１ＵＳＢタイプＣ出力端と、
前記回路板上に設置され、前記マイクロコントローラ及び前記ＵＳＢタイプＣ入力端に電気接続され、且つ前記第２タイプＣ伝送線及び前記ＵＳＢタイプＣ入力端の接続状態を検出することに用いられる第１入力端制御器と、
前記回路板上に設置され、前記マイクロコントローラ及び前記第１ＵＳＢタイプＣ出力端の間に電気接続され、且つ前記第１タイプＣ伝送線及び前記第１ＵＳＢタイプＣ出力端の接続状態を検出することに用いられる第１出力端制御器と、
前記回路板上に設置され、入力端が前記マイクロコントローラ及び前記第１入力端マルチプレクサに電気接続され、且つ出力端が前記第１ＵＳＢタイプＣ出力端に電気接続される第１出力端マルチプレクサと、
前記第１入力端マルチプレクサ及び前記出力端マルチプレクサの間に電気接続されるＵＳＢハブプロセッサと、を含み、
前記第１入力端制御器が前記第２タイプＣ伝送線及び前記ＵＳＢタイプＣ入力端の接続状態を前記マイクロコントローラに伝送した後、前記マイクロコントローラが前記第１入力端マルチプレクサを調整し、
前記第１出力端制御器が前記第１タイプＣ伝送線及び前記第１ＵＳＢタイプＣ出力端の接続状態を前記マイクロコントローラに伝送した後、前記マイクロコントローラが前記第１出力端マルチプレクサを調整する、ハブ。
【請求項３】
前記第２ＵＳＢ出力端を更に含み、
前記第２ＵＳＢ出力端は、前記ハブ外部に位置する第２電子装置及び前記ＵＳＢハブプロセッサに電気接続する請求項１又は２に記載のハブ。
【請求項４】
前記電源伝送線は、前記第２ＵＳＢ出力端に電気接続する請求項３に記載のハブ。
【請求項５】
電源モジュールを更に含み、
前記電源モジュールは、前記ハブ外部の外部電源、前記電源伝送線、前記第１ＵＳＢタイプＣ出力端に電気接続し、且つ前記電源モジュールは、前記外部電源が出力する電力を前記第１電子装置及び前記表示器に供給する請求項１又は２に記載のハブ。
【請求項６】
前記外部電源は、交流電源又は直流電源である請求項５に記載のハブ。
【請求項７】
エネルギー貯蔵部材を更に含み、
前記エネルギー貯蔵部材は、前記電源モジュールに電気接続し、
前記外部電源が前記電源モジュールに給電する時、前記エネルギー貯蔵部材は、充電モードにあり、
前記外部電源が前記電源モジュールに給電しない時、前記エネルギー貯蔵部材は、給電モードにある請求項５に記載のハブ。
【請求項８】
少なくとも１つのブリッジ接続制御器及び第３出力端を更に含み、
前記ブリッジ接続制御器は、前記ＵＳＢハブプロセッサ及び前記第３出力端に電気接続し、
前記ブリッジ接続制御器は、異なる信号フォーマット間の変換を行うことに適用される請求項１又は２に記載のハブ。
【請求項９】
メモリを更に含み、
前記メモリは、前記ブリッジ接続制御器と電気接続する請求項８に記載のハブ。
【請求項１０】
ＯＴＧ制御器を更に含み、
前記ＯＴＧ制御器は、前記ＵＳＢハブプロセッサと電気接続し、且つ前記ブリッジ接続制御器は、前記ＯＴＧ制御器及び前記メモリの間に電気接続される請求項９に記載のハブ。
【発明の詳細な説明】
【技術分野】
【０００１】
本発明は、ハブに関し、特に、代替モード（Alternate Mode）を支援するハブに関する。
【背景技術】
【０００２】
現在、一部のノード型パソコンは、軽量且つ薄い形状を有するため、ただ１つのＵＳＢタイプＣのみを接続ポートとして使用している。これは、ＵＳＢタイプＣが一般的データを伝送できる以外に、タイプＣからディスプレイポートインタフェースに変換する伝送線８を利用してビデオ信号を出力すること（図１Ａ参照、図１Ａが示すのはタイプＣからディスプレイポートに変換する伝送線８である）、即ち、代替モード（Alternate Mode）によってビデオ信号を伝送することもできるからである。しかしながら、ただ１つのＵＳＢ接続ポートは、使用者にとって使用に不十分である可能性がある。
【０００３】
従って、イメージ出力端を有するＵＳＢハブ１０を介してＵＳＢ接続ポートを拡張することができる（図１Ｂ参照、図１Ｂが示すのはＵＳＢハブ１０が外部装置と接続する説明図である）。そのうち、ＵＳＢハブ１０は、先ず、ノート型パソコンのビデオ信号及び非ビデオ信号を分離する。その後、ノート型パソコンのビデオ信号は、ＵＳＢハブ１０出力端のディスプレイポートインタフェース１０１を介して表示器に出力する。しかしながら、ＵＳＢハブ１０は、ビデオ信号及び非ビデオ信号を分離しているので、使用者は、タイプＣからディスプレイポートインタフェースに変換する伝送線をＵＳＢタイプＣインタフェース１０２と接続する時、ＵＳＢタイプＣインタフェース１０２がビデオ信号を出力することができない。このようにして、同様に使用上の不便を招く（使用者は、タイプＣからディスプレイポートインタフェースに変換する伝送線８を有するだけである場合、ＵＳＢハブ１０を使用してビデオ信号を伝送することができない）。言い換えれば、従来のＵＳＢハブ１０は、代替モードを支援することができない。
【０００４】
特許文献１には、従来のＵＳＢハブが開示されている。特許文献１に開示のＵＳＢハブは、ＵＳＢコネクタを複数備え、当該コネクタのそれぞれを介して端末に接続されるＵＳＢハブ装置であって、利用者から切り替えの指示を受け入れる受入手段と、前記受入手段にて、受け入れた切り替えの指示により、ＵＳＢホストとして動作するホストモードと、ＵＳＢデバイスとして動作するデバイスモードとを切り替えて前記端末との間の接続を行う切替手段とを備えている。
【先行技術文献】
【特許文献】
【０００５】
【特許文献１】特開２０１６−２１８９７２号公報
【発明の概要】
【発明が解決しようとする課題】
【０００６】
従って、上記問題を如何に解決し、代替モードを支援できるハブを開発するかは、当業者が思考するに値するものとなっている。
【課題を解決するための手段】
【０００７】
上記目的及びその他の目的に基づき、本発明は、代替モードを支援することができるハブを提供する。
【０００８】
本発明のハブは、ハブ外部に位置する第１電子装置及び表示器を電気接続することに適用され、ハブは、回路板、マイクロコントローラ、フロントエンドタイプＣ伝送線、第１ＵＳＢタイプＣ出力端、第１入力端制御器、第１出力端制御器、第１出力端マルチプレクサ及びＵＳＢハブプロセッサを含む。マイクロコントローラは、該回路板上に設置され、フロントエンドタイプＣ伝送線は、電源伝送線、第１組データ伝送線及び第２組データ伝送線を含み、且つ電源伝送線、第１組データ伝送線及び第２組データ伝送線は、回路板上まで延伸する。第１ＵＳＢタイプＣ出力端は、電源伝送線及び第１タイプＣ伝送線の間に電気接続される。第１入力端制御器は、該回路板上に設置され、第１出力端制御器は、該マイクロコントローラ及び該第１ＵＳＢタイプＣ出力端の間に電気接続され、且つ第１出力端制御器は、該第１タイプＣ伝送線及び第１ＵＳＢタイプＣ出力端の接続状態を検出することに用いられる。第１出力端マルチプレクサは、該回路板上に設置され、該第１出力端マルチプレクサの入力端は、該マイクロコントローラ及び該第１組データ伝送線を電気接続し、且つ該第１出力端マルチプレクサの出力端は、該第１ＵＳＢタイプＣ出力端に電気接続する。また、ＵＳＢハブプロセッサは、第２組データ伝送線及び第１出力端マルチプレクサの間に電気接続される。そのうち、第１出力端制御器は、第１タイプＣ伝送線及び第１ＵＳＢタイプＣ出力端の接続状態をマイクロコントローラに伝送した後、マイクロコントローラが第１出力端マルチプレクサを調整する。
【０００９】
上記目的及びその他の目的に基づき、本発明が更に提供するハブは、該ハブ外部に位置する第１電子装置及び表示器を電気接続することに適用され、ハブは、ドングル装置によって該表示器に接続し（ハブのビデオ信号をドングルを介して該表示器に変換接続する）、該第１電子装置は、第２タイプＣ伝送線を介して該ハブに電気接続し、表示器は、第１タイプＣ伝送線を介して該ハブに電気接続し、ハブは、回路板、マイクロコントローラ、ＵＳＢタイプＣ入力端、第１ＵＳＢタイプＣ出力端、第１入力端制御器、第１入力端マルチプレクサ、第１出力端制御器、第１出力端マルチプレクサ及びＵＳＢハブプロセッサを含む。マイクロコントローラは、該回路板上に設置される。また、該ＵＳＢタイプＣ入力端は、少なくとも該回路板上に位置する電源線、第１組データ伝送線及び第２組データ伝送線まで延伸し、且つＵＳＢタイプＣ入力端は、第２タイプＣ伝送線と電気接続する。第１ＵＳＢタイプＣ出力端は、該電源伝送線及び該第１タイプＣ伝送線に電気接続する。第１入力端制御器は、該回路板上に設置され、該第１入力端制御器は、該マイクロコントローラ及び該ＵＳＢタイプＣ入力端し、且つ該第１入力端制御器は、該第２タイプＣ伝送線及び該ＵＳＢタイプＣ入力端の接続状態を検出することに用いられる。第１入力端マルチプレクサは、該回路板上に設置され、該第１入力端マルチプレクサは、該マイクロコントローラ、該第１組データ伝送線、及び該第２組データ伝送線に電気接続する。第１出力端制御器は、該回路板上に設置され、該第１出力端制御器は、該マイクロコントローラ及び該第１ＵＳＢタイプＣ出力端の間に電気接続され、且つ該第１出力端制御器は、該第１タイプＣ伝送線及び該第１ＵＳＢタイプＣ出力端の接続状態を検出することに用いられる。第１出力端マルチプレクサは、該回路板上に設置され、該第１出力端マルチプレクサの入力端は、該マイクロコントローラ及び該第１入力端マルチプレクサに電気接続し、且つ該第１出力端マルチプレクサの出力端は、該第１ＵＳＢタイプＣ出力端に電気接続される。ＵＳＢハブプロセッサは、該第１入力端マルチプレクサ及び該第１出力端マルチプレクサの間に電気接続される。そのうち、該第１入力端制御器が該第２タイプＣ伝送線及び該ＵＳＢタイプＣ入力端の接続状態を検出して該マイクロコントローラに伝送した後、該マイクロコントローラは、該第１入力端マルチプレクサを調整する。該第１出力端制御器が該第１タイプＣ伝送線及び該第１ＵＳＢタイプＣ出力端の接続状態を検出してマイクロコントローラに伝送した後、マイクロコントローラは、該第１出力端マルチプレクサを調整する。
【００１０】
上記ハブは、第２ＵＳＢ出力端を更に含み、該第２ＵＳＢ出力端は、該ハブ外部に位置する第２電子装置及び該ＵＳＢハブプロセッサに電気接続する。
【００１１】
上記ハブにおいて、電源伝送線は、第２ＵＳＢ出力端に電気接続する。
【００１２】
上記ハブは、電源モジュールを更に含み、電源モジュールは、該ハブ外部の外部電源、該電源伝送線、該第１ＵＳＢタイプＣ出力端に電気接続し、且つ該電源モジュールは、該外部電源が出力する電力を該第１電子装置及び該表示器に供給する。
【００１３】
上記ハブにおいて、外部電源は、交流電源又は直流電源である。
【００１４】
上記ハブは、エネルギー貯蔵部材を更に含み、エネルギー貯蔵部材は、該電源モジュールに電気接続し、該外部電源が該電源モジュールに給電する時、該エネルギー貯蔵部材は、充電モードにあり、該外部電源が該電源モジュールに給電しない時、該エネルギー貯蔵部材は、給電モードにある。
【００１５】
上記ハブは、少なくとも１つのブリッジ接続制御器及び第３出力端を更に含み、該ブリッジ接続制御器は、該ＵＳＢハブプロセッサ及び該第３出力端に電気接続し、該ブリッジ接続制御器は、異なる信号フォーマット間の変換を行うことに適用される。
【００１６】
上記ハブは、メモリを更に含み、該メモリは、該ブリッジ接続制御器と電気接続する。
【００１７】
上記ハブは、ＯＴＧ制御器を更に含み、該ＯＴＧ制御器は、該ＵＳＢハブプロセッサと電気接続し、且つ該ブリッジ接続制御器は、該ＯＴＧ制御器及び該メモリの間に電気接続される。
【発明の効果】
【００１８】
本発明が提供するハブは、代替モードを支援することができる。
【図面の簡単な説明】
【００１９】
【図１Ａ】タイプＣからディスプレイポートへ変換する伝送線を示す図である。
【図１Ｂ】ＵＳＢハブ１０及び外部装置の接続の説明図である。
【図２Ａ】第１実施例のハブ２０の説明図である。
【図２Ｂ】ＵＳＢタイプＣの全ての全てのリード及び各リードの名称の説明図である。
【図２Ｃ】第１出力端マルチプレクサ２０４Ｄが第１ＵＳＢタイプＣ出力端２０４のフォーマット信号を切り換える説明図である。
【図３】第２実施例のハブ３０の説明図である。
【図４】第３実施例のハブ４０の説明図である。
【図５】第４実施例のハブ５０の説明図である。
【図６】第５実施例のハブ６０の説明図である。
【発明を実施するための形態】
【００２０】
図２Ａ及び図２Ｂを参照し、図２Ａが示すのは、第１実施例のハブ２０の説明図であり、図２Ｂが示すのは、ＵＳＢタイプＣの全てのリード及び各リードの名称の説明図である。ハブ２０は、外部の第１電子装置９１、第２電子装置９２及び表示器９３に電気接続することに適用され、表示器９３は、第１タイプＣ伝送線９３Ｌを介してハブ２０に電気接続し、第１タイプＣ伝送線９３Ｌは、例えば、タイプＣからディスプレイポートインタフェースに変換する伝送線である。ハブ２０は、回路板２０１、マイクロコントローラ２０２、フロントエンドタイプＣ伝送線２０３、第１ＵＳＢタイプＣ出力端２０４、第１入力端制御器２０７Ｃ、第１出力端制御器２０４Ｃ、第１出力端マルチプレクサ２０４Ｄ、ＵＳＢハブプロセッサ２０５及び第２ＵＳＢ出力端２０６を含む。そのうち、マイクロコントローラ２０２は、回路板２０１上に設置され、フロントエンドタイプＣ伝送線２０３は、第１電子装置９１に電気接続することに用いられ、第２ＵＳＢ出力端２０６は、ハブ２０外部に位置する第２電子装置９２に電気接続し、且つ第２ＵＳＢ出力端２０６は、ＵＳＢハブプロセッサ２０５にも電気接続する。また、フロントエンドタイプＣ伝送線２０３は、電源伝送線２０３３、第１組データ伝送線２０３１及び第２組データ伝送線２０３２を含み、電源伝送線２０３３は、該ＵＳＢタイプＣの４つのＶＢＵＳピンに接続し、電力の伝送を担い、第１組データ伝送線２０３１は、該ＵＳＢタイプＣのＳＳＴＸｐ２ピン、ＳＳＴＸｎ２ピン、ＳＳＲＸｐ２ピン及びＳＳＲＸｎ２ピンに接続し、ＳｕｐｅｒＳｐｅｅｄ差分信号の伝送に用いられることができ、本実施例では、第１電子装置９１のビデオ信号の伝送を担い、第２組データ伝送線２０３２は、該ＵＳＢタイプＣのＳＳＲＸｎ１ピン、ＳＳＲＸｐ１ピン、ＳＳＴＸｎ１ピン及びＳＳＴＸｐ１ピンに接続し、ＳｕｐｅｒＳｐｅｅｄ差分信号の伝送を担い、本実施例では、第１電子装置の非ビデオ信号の伝送を担い、且つ電源伝送線２０３３、第１組データ伝送線２０３１及び第２組データ伝送線２３０２は、何れも回路板２０１上に延伸する。上記において、ハブ２０は、第１タイプＣ伝送線９３Ｌを介して表示器９３に接続し、それは、ドングル装置を介して表示器９３に接続することもできる。
【００２１】
また、第１入力端制御器２０７Ｃは、回路板２０１上に設置され、それは、マイクロコントローラ２０２及び第１電子装置９１に電気接続し、第１入力端制御器２０７Ｃは、第１電子装置９１が代替モード（Ａｌｔｅｒｎａｔｅ  Ｍｏｄｅ）を支援できるか否かを判断し、且つ第１入力端制御器２０７Ｃは、更に、第１電子装置９１に該ビデオ信号を出力するよう要求することができる。
【００２２】
また、第１ＵＳＢタイプＣ出力端２０４は、電源伝送線２０３３及び第１タイプＣ伝送線９３Ｌの間に電気接続される。第１出力端制御器２０４Ｃは、回路板２０１上に設置され、第１出力端制御器２０４Ｃは、マイクロコントローラ２０２及び第１ＵＳＢタイプＣ出力端２０４の間に電気接続され、且つ第１出力端制御器２０４Ｃは、第１タイプＣ伝送線９３ＬのＣＣピン（Ｃｏｎｆｉｇｕｒａｔｉｏｎ  Ｃｈａｎｎｅｌ）を介して表示器９３と通信でき、第１タイプＣ伝送線９３Ｌ及び第１ＵＳＢタイプＣ出力端２０４の接続状態を分かることができる。言い換えれば、第１出力端制御器２０４Ｃは、第１タイプＣ伝送線９３Ｌが第１ＵＳＢタイプＣ出力端２０４に正方向に挿入されているか、第１ＵＳＢタイプＣ出力端２０４に逆方向に挿入されているかを分かることができる。また、第１出力端マルチプレクサ２０４Ｄも回路板２０１上に設置され、且つ第１出力端マルチプレクサ２０４Ｄの入力端は、マイクロコントローラ２０２及び第１組データ伝送線２０３１に電気接続し、従って、第１出力端マルチプレクサ２０４Ｄは、該ビデオ信号を受け取ることができる。また、ｕｓｂハブプロセッサ２０５は、第２組データ伝送線２０３２及び第１出力端マルチプレクサ２０４Ｄの間に電気接続され、従って、第１出力端マルチプレクサ２０４Ｄは、更に、ＵＳＢハブプロセッサ２０５を介して該非ビデオ信号を受け取ることができる。また、第１出力端マルチプレクサ２０４Ｄの出力端は、第１ＵＳＢタイプＣ出力端２０４に電気接続し、従って、第１電子装置９１のビデオ信号及び非ビデオ信号は、何れも第１ＵＳＢタイプＣ出力端２０４まで伝送される。このように、第１タイプＣ伝送線９３Ｌが第１ＵＳＢタイプＣ出力端２０４に挿入される時、該ビデオ信号は、第１ＵＳＢタイプＣ出力端２０４及び第１タイプＣ伝送線９３Ｌを介して表示器９３に伝送される。図１ＢのＵＳＢハブ１０に比較し、本実施例のＵＳＢハブ２０の第１ＵＳＢタイプＣ出力端２０４は、ビデオ信号を出力できるので、ＵＳＢハブ２０は、代替モード（Ａｌｔｅｒｎａｔｅ  Ｍｏｄｅ）を支援することができる。また、ハブ２０がドングル装置を介して表示器９３に接続する時、ハブ２０のビデオ信号は、同様に表示器９３に変換接続できる。また、本分野において、マイクロコントローラ２０２、第１入力端制御器２０７Ｃ及び第１出力端制御器２０４Ｃは、単一チップ内に製造され、制御回路を形成する。
【００２３】
上記において、第１出力端制御器２０４Ｃが第１タイプＣ伝送線９３Ｌおよび第１ＵＳＢタイプＣ出力端２０４の接続状態をマイクロコントローラ２０２に伝送した後、マイクロコントローラ２０２は、該接続状態に基づき第１出力端マルチプレクサ２０４Ｄを調整する。詳細については、図２Ｃを参照し、図２Ｃが示すのは、第１出力端マルチプレクサ２０４Ｄを第１ＵＳＢタイプＣ出力端２０４のフォーマット信号に切り換える説明図である。第１タイプＣ伝送線９３Ｌが第１ＵＳＢタイプＣ出力端２０４に逆方向に挿入する時、調整された第１出力端マルチプレクサ２０４Ｄは、第１ＵＳＢタイプＣ出力端２０４のフォーマット信号を切り換え、即ち、ＲＸ１ピン及びＴＸ１ピンの信号をＬｎＢピン及びＬｎＡピンに導入し、即ち、該信号は、Ａｌｔｅｒｎａｔｅ  ｍｏｄｅの使用を提供するように予め設け、もう一組のＲＸ２ピン、ＴＸ２ピンの信号は、ＳＳＲＸピン及びＳＳＴＸピンに導入され、即ち、Ｈｕｂ  ｃｏｎｔｒｏｌｌｅｒに導入される。このように、第１タイプＣ伝送線９３Ｌが第１ＵＳＢタイプＣ出力端２０４に正方向に挿入されているか、第１ＵＳＢタイプＣ出力端２０４に逆方向に挿入されているかに関わらず、第１タイプＣ伝送線９３Ｌは、何れも第１ＵＳＢタイプＣ出力端２０４が出力するビデオ信号及び非ビデオ信号を受け取ることができる。
【００２４】
注意すべきこととして、ＵＳＢタイプＣの各ピンの名称及び機能は、当業者の通常知識であるか、公開資料（例えば、ウィキペディアＵＲＬ：ｈｔｔｐｓ：／／ｚｈ．ｗｉｋｉｐｅｄｉａ．ｏｒｇ／ｗｉｋｉ／ＵＳＢ＿Ｔｙｐｅ−Ｃ）を検索して容易に分かることができ、故に本明細書では、本願の技術内容と関連するＵＳＢタイプＣのピンのみを紹介する。
【００２５】
図３を参照し、図３が示すのは、第２実施例のハブ３０の説明図である。ハブ３０およびハブ２０の差異は、以下にある。ハブ３０は、ＵＳＢタイプＣ入力端３０７及び第１入力端マルチプレクサ３０７Ｄを更に含み、且つハブ２０の第１入力端制御器２０７Ｃは、第１入力端制御器３０７Ｃに置換される。しかしながら、ハブ３０は、フロントエンドタイプＣ伝送線２０３を有していない。また、第１電子装置９１は、第２タイプＣ伝送線９１Ｌ、例えば、タイプＣからディスプレイポートインタフェースに変換する伝送線に電気接続し、従って、第１電子装置９１のビデオ信号および非ビデオ信号は、第２タイプＣ電子装置９１Ｌを介してＵＳＢタイプＣ入力端３０７に伝送されることができる。そのうち、ＵＳＢタイプＣ入力端３０７から少なくとも回路板３０１上の電源伝送線３０７３、第１組データ伝送線３０７１及び第２組データ伝送線３０７２まで延伸でき、電源伝送線２０３３は、該ＵＳＢタイプＣの４つのＶＢＵＳピンに接続され（図２Ｂを再度参照）、それは、電力の伝送を担い、第１組データ伝送線３０７１は、該ＵＳＢタイプＣのＳＳＴＸｐ２ピン、ＳＳＴＸｎ２ピン、ＳＳＲＸｐ２ピン及びＳＳＲＸｎ２ピンに接続され（図２Ｂを再度参照）、それは、ＳｕｐｅｒＳｐｅｅｄ差分信号の伝送を担い、本実施例では、第１電子装置９１のビデオ信号の伝送を担い、第２組データ伝送線３０７２は、該ＵＳＢタイプＣのＳＳＲＸｎ１ピン、ＳＳＲＸｐ１ピン、ＳＳＴＸｎ１ピン及びＳＳＴＸｐ１ピンに接続され（図２Ｂを再度参照）、それは、ＳｕｐｅｒＳｐｅｅｄ差分信号の伝送に用いられることができ、本実施例では、第１電子装置９１の非ビデオ信号の伝送を担う。また、第１入力端制御器３０７Ｃは、回路板３０１上に設置され、それは、マイクロコントローラ２０２及びＵＳＢタイプＣ入力端３０７を電気接続し、且つ第１入力端制御器３０７Ｃは、第２タイプＣ伝送線９１ＬのＣＣピン（Ｃｏｎｆｉｇｕｒａｔｉｏｎ  Ｃｈａｎｎｅｌ）を介して第１電子装置９１と通信を行い、第２タイプＣ伝送線９１ＬおよびＵＳＢタイプＣ入力端３０７の接続状態を分かることができる。言い換えれば、第１入力端制御器３０７Ｃは、第２タイプＣ伝送線９１ＬがＵＳＢタイプＣ入力端３０７に正方向に挿入するか、ＵＳＢタイプＣ入力端３０７に逆方向に挿入されるかを分かることができる。また、本分野において、マイクロコントローラ２０２、第１入力端制御器３０７Ｃ及び第１出力端制御器２０４Ｃは、単一チップ内に製造され、制御回路を形成する。また、第１入力端マルチプレクサ３０７Ｄは、回路板３０１上に設置され、それは、制御器２０２、第１組データ伝送線３０７１、第２組データ伝送線３０７２及び第１出力端マルチプレクサ２０４Ｄの入力端に電気接続され、且つＵＳＢハブプロセッサ２０５は、第１入力端マルチプレクサ３０７Ｄ及び第１出力端マルチプレクサ２０４Ｄの間に電気接続される。第１出力端マルチプレクサ２０４Ｄの入力端は、第１入力端マルチプレクサ３０７Ｄに電気接続され、且第１入力端マルチプレクサ３０７Ｄは、また第１組データ伝送線３０７１に電気接続され、従って、第１出力端マルチプレクサ２０４Ｄは、第１組データ伝送線３０７１及び第１���力端マルチプレクサ３０７Ｄを介して該ビデオ信号を受け取る。また、ＵＳＢハブプロセッサ２０５は、第１入力端マルチプレクサ３０７Ｄ及び第１出力端マルチプレクサ２０４Ｄの間に電気接続される。また、第１入力端マルチプレクサ２０４Ｄは、また、第２組データ伝送線３０７２に電気接続され、従って第１出力端マルチプレクサ２０４Ｄは、更に、ＵＳＢハブプロセッサ２０５を介して該非ビデオ信号を受け取る。また、第１出力端マルチプレクサ２０４Ｄの出力端は、第１ＵＳＢタイプＣ出力端２０４に電気接続され、従って、第１電子装置９１のビデオ信号及び非ビデオ信号は、また、第１ＵＳＢタイプＣ出力端２０４まで伝送される。このように、第１タイプＣ伝送線９３Ｌが第１ＵＳＢタイプＣ出力端２０４に挿入される時、該ビデオ信号は、表示器９３に伝送でき、従って、本実施例のＵＳＢハブ３０は、同様に代替モードを支援する。
【００２６】
上記において、第１入力端制御器３０７Ｃが第２タイプＣ伝送線９１ＬおよびＵＳＢタイプＣ入力端３０７の接続状態をマイクロコントローラ２０２に伝送した後、マイクロコントローラ２０２は、該接続状態に基づき、第１入力端マルチプレクサ３０７Ｄを調整し、即ち、図２Ｃのような信号切り換えモードであり、第１入力端マルチプレクサ３０７Ｄは、第１ＵＳＢタイプＣ出力端３０７のフォーマット信号を切り換える。このように、第２タイプＣ伝送線９１Ｌは、ＵＳＢタイプＣ入力端３０７に正方向に挿入されるか、ＵＳＢタイプＣ入力端３０７に逆方向に挿入され、ＵＳＢタイプＣ入力端３０７は、何れも第２タイプＣ伝送線９１Ｌが出力するビデオ信号及び非ビデオ信号を受け取ることができる。
【００２７】
図４を参照し、図４が示すのは、第３実施例のハブ４０である。ハブ４０およびハブ２０の差異は、以下にある。ハブ４０は、更に電源モジュール４０８を含み、電源モジュール４０８は、ハブ４０外部の外部電源９４、例えば、交流電源又は直流電源に電気接続する。また、電源モジュール４０８は、更に、電源伝送線２０３３、第１ＵＳＢタイプＣ出力端２０４及び第２ＵＳＢ出力端２０６に電気接続する。そのうち、そのうち、電源モジュール４０８は、外部電源９４が出力する電源を第１電源装置９１、第２電子装置９２及び表示器９３に供給する。このように、第１電子装置９１、第２電子装置９２及び表示器９３は、安定動作することができる。上記において、電源モジュール４０８の更に詳細な技術特徴は、米国特許出願第１５／１７６，２６０号の『ＭＵＬＴＩ−ＦＵＮＣＴＩＯＮＡＬ  ＨＵＢ  ＩＮＴＥＧＲＡＴＥＤ  ＷＩＴＨ  ＡＣ  ＰＯＷＥＲ  ＳＵＰＰＬＹ』の明細書の内容を参照することができる。
【００２８】
図５を参照し、図５が示すのは、第４実施例のハブ５０である。ハブ５０およびハブ３０の差異は、以下にある。ハブ５０は、更に、電源モジュール５０８及びエネルギー貯蔵部材５０９を含み、電源モジュール５０８は、ハブ５０外部の外部電源９４に電気接続する。また、電源モジュール５０８は、更に、電源伝送線３０７３、第１ＵＳＢタイプＣ出力端２０４及び第２ＵＳＢ出力端２０６に電気接続する。そのうち、電源モジュール５０８は、外部電源９４が出力する電力を第１電子装置９１、第２電子装置９２及び表示器９３に伝送する。また、エネルギー貯蔵部材５０９は、電源モジュール５０８に電気接続する。そのうち、外部電源９４が電源モジュール５０８に給電する時、エネルギー貯蔵部材５０９は、充電モードにある。反対に、外部電源９４が該電源モジュール５０８に給電しない時、エネルギー貯蔵部材５０９は、給電モードにある。このように、電源モジュール５０８は、エネルギー貯蔵部材５０９が出力する電力を第１電子装置９１、第２電子装置９２及び表示器９３間で供給する。
【００２９】
図６を参照し、図６が示すのは、第５実施例のハブ６０である。ハブ６０およびハブ３０の差異は、以下にある。ハブ６０は、更に、複数のブリッジ接続制御器（図６では、３個ブリッジ接続制御器６０Ａ、６０Ｂ、６０Ｃを含む）、第３出力端６０７、少なくとも１つのメモリ（図６では、２つのメモリ６２、６３を含む）及びＯＴＧ制御器６４を含む。そのうち、１つのブリッジ接続制御器６０Ａは、ＵＳＢハブプロセッサ２０５及び第３出力端６０７の間に電気接続され、且つブリッジ接続制御器６０Ａは、異なる信号フォーマットの間の変換を行うことに適用される。例えば、ブリッジ接続制御器６０Ａは、ＵＳＢハブプロセッサ２０５が出力する信号をその他のフォーマット信号に変換でき、更に、これらの信号を外部の第３電子装置９５に伝送し、第３電子装置９５は、例えば、カードリーダである。また、ブリッジ接続制御器６０Ｂは、メモリ６２に接続するものであり、メモリ６２は、ハブ６０が有するデータ記憶の機能を補助でき、モバイルハードディスクとして使用者に使用させることができる。また、ＯＴＧ制御器６４は、ＵＳＢハブプロセッサ２０５と電気接続し、且つブリッジ接続制御器６０Ｃは、ＯＴＧ制御器６４及びメモリ６２の間に電気接続される。ＯＴＧ制御器６４は、ＵＳＢ  Ｏｎ−Ｔｈｅ−Ｇｏの規範を支援し、従って、メモリ６３は、第３電子装置９５と直接データ伝送を行うこともでき、その他のコンピュータ装置を介する必要がない。
【符号の説明】
【００３０】
８  伝送線
１０  ＵＳＢハブ
１０１  ディスプレイポートインタフェース
１０２  ＵＳＢタイプＣインタフェース
２０  ハブ
２０１  回路板
２０２  マイクロコントローラ
２０３  フロントエンドタイプＣ伝送ケーブル
２０３１  第１組データ伝送線
２０３２  第２組データ伝送線
２０３３  電源伝送線
２０４  第１ＵＳＢタイプＣ出力端
２０４Ｃ  第１出力端コントローラ
２０４Ｄ  第１出力端マルチプレクサ
２０５  ＵＳＢハブプロセッサ
２０６  第２ＵＳＢ出力端
２０７Ｃ  第１入力端コントローラ
３０  ハブ
３０１  回路板
３０７  ＵＳＢタイプＣ入力端
３０７１  第１組データ伝送線
３０７２  第２組データ伝送線
３０７３  電源伝送線
３０７Ｃ  第１入力端コントローラ
３０７Ｄ  第１入力端マルチプレクサ
４０  ハブ
４０８  電源モジュール
５０  ハブ
５０８  電源モジュール
５０９  エネルギー貯蔵部材
６０  ハブ
６０Ａ  ブリッジコントローラ
６０Ｂ  ブリッジコントローラ
６０Ｃ  ブリッジコントローラ
６０７  第３出力端
６２  メモリ
６３  メモリ
６４  ＯＴＧコントローラ
９１  第１電子装置
９２  第２電子装置
９３  表示器
９３Ｌ  第１タイプＣ伝送線
９４  外部電源
９５  第３電子装置
【図１Ａ】
2019096282.tif 000003
【図１Ｂ】
2019096282.tif 000004
【図２Ａ】
2019096282.tif 000005
【図２Ｂ】
2019096282.tif 000006
【図２Ｃ】
2019096282.tif 000007
【図３】
2019096282.tif 000008
【図４】
2019096282.tif 000009
【図５】
2019096282.tif 000010
【図６】
2019096282.tif 000011